(57)【要約】【課題】理容、美容における整髪を資格・経験・技術の有無に拘らず、確実かつ容易にカットし美しく綺麗な髪型を作り出すことの出来る理髪器具を提供する。【解決手段】円形状に形成されたヨーク部材を頭部に冠着し、そのヨーク部材を介して櫛ガイドプレートを着脱しながら移動し、櫛・鋏・電気バリカン等を用いて毛髪をカットしていく。上記櫛はプレート先端より外側縁部に沿って接触保持し移動しながら毛髪を上部え掬い上げ突出した部分をカットする。【選択図】図１
2005349065.tif 000002
【特許請求の範囲】
【請求項１】
前額部に密接されるよう形成した支持部材に段状をなし、さらに一部は傾斜部を有するヨーク部材は左右対称として頭側部の外周に沿って形成されたものを取り付け、上記ヨーク部材を介して着脱可能に構成された櫛ガイドプレートは保持され一体をなすことを特徴とする理髪器具。
【請求項２】
請求項１において、上記櫛ガイドプレートが２連をなし、その保持部材とプレート部材間にばねを介してプレート部材は弾性的作用を保持し、そして、プレート先端部は頭皮に対して適度の圧接が加わり接触状態を維持する構造を特徴とする櫛ガイドプレートの理髪器具。
【請求項３】
請求項１において、上記ヨーク部材に対し櫛ガイドプレートの着脱は磁石の吸引力によるものであり、おもに櫛ガイドプレートの吸着面に凸部を設け、対するヨーク部材には凹部を設けて嵌合される理髪器具。
【請求項４】
請求項１において、上記ヨーク部材は凹欠部を形成し、さらに支持部材の両側端部付近から後頭部にかけて髪裾に沿った曲線をなし、複数の異なる櫛ガイドプレートは、ばね及びプッシュ・ピンを櫛ガイドプレート保持部材に嵌入し構成した理髪器具。
【請求項５】
請求項４において、複数の異なる櫛ガイドプレートを形成し、上記ヨーク部材に配設し、この櫛ガイドプレートは一方向の動きと他方向の動き、さらに摺動を備え持つ構造を特徴とする理髪器具。
【発明の詳細な説明】
【技術分野】
【０００１】
本発明は、理容、美容の理髪に関し、おもに刈上げ、裾刈り等の理髪器具に関するものである。
【背景技術】
【０００２】
従来は、理容、美容および家庭用理髪用具としては鋏、電動バリカンおよび櫛または指等を駆使して理髪されることが一般的であるが、刈上げ、裾刈り等は熟練をようする。従来の理髪装置として特開平０９−０３７８４７号公報に示された髪切り用ヘアスタイル別ガイドライン網を第３図により説明する。
【０００３】
ヘアスタイルに合せてプラスチック材や針金材でつくった網状のもの図１（以下本体という）から出た髪を掃除機につないだノズル（１）で吸い上げノズル（１）についているバリカン（２）で本体から出た髪だけを切り取る。
【特許文献１】特開平０３−１５５８９２号公報
【特許文献２】特開平２００２−１５９７６５号公報
【発明の開示】
【発明が解決しようとする課題】
【０００４】
理髪にあたり、裾刈り、刈上げなどは、髪裾端部より上部に至るカットが凹凸状になり、一部分の髪を短く切りすぎて綺麗な髪型に仕上げるには技術的に非常に困難である。
【０００５】
本発明は、これらの欠点を解決するためになされたものであり、その目的とするところは、毛髪を切り揃えることを容易にかつ綺麗に仕上げることができ、安価で扱い易い理髪器具を提供することにある。
【課題を解決するための手段】
【０００６】
本発明は、図１に係る理髪器具において前額部に密接されるよう形成した支持部材に段状と傾斜部を備えたヨーク部材は、刈上げ、裾刈り等を綺麗に散髪するためになされたもので、上記段状と傾斜部は、あらまし頭側面から後頭部付近にかけての髪型を曲線状にするためと一種形体の櫛ガイドプレート（以後プレートと言う）を用いることにある。
また、上記ヨーク部材における傾斜部はプレートが毛髪の流れに沿わせるためであり、そして、プレートを介して毛髪を櫛により掬い上げカットして綺麗な髪型に仕上げる。
なお、ヨーク部材の形状は左右対称であり、段状と傾斜部をなすことを特徴とする。
【０００７】
さらに、図２において２連体をなしたプレートの保持部材に各プレートａが弾性的に構成されており、この２連体の場合は、櫛のぶれを防止し、使用にあたり安定感がえられ、それと弾性的作用により頭皮に対しソフトな圧接により容易にかつ綺麗な散髪ができる特徴を備えている。
また、図３におけるヨーク部材とプレートは磁石の吸引による着脱とし、両吸着面に凹凸状の孔を設け、おもにヨーク部材に凹部を配し、そして凹部位はそのプレートａの部分と毛髪の流れが一致するよう傾斜部を設けている。
さらに、図５、図６は上記ヨーク部材を介して複数の異なるプレートは摺動可能とし、そして、前後左右の振れの方向性を持つ動きをすることができ、ヨーク部材の凹欠部位にばね及びプッシュ・ピンで構成されたプレートを取り付けピン先端部と凹欠部の接触面は略Ａ角状の接点をなすことにより、弾性的作用が働き各プレートａは頭皮に対しソフトに圧接されることを特徴とする。
【発明の効果】
【０００８】
本発明は、支持部材および固定部材ならびにヨーク部材とプレートからなるもので構成された理髪器具であり、ヨーク部材と頭皮間は適度の間隔を保つことにより、上記プレートの調髪角度の微調整、さらに、クリップ付のプレートの着脱を容易にする。
また各プレートａ部分の外側縁部の形状により髪型を変化させることができ、髪裾部分の綺麗な暈し面を容易に得ることができる。そして、各プレートａ部分の外側縁部先端から櫛により、その各プレートａ部分の外側縁部に沿って上部に毛髪を掬い上げ、櫛より突出した部分を鋏、または電気バリカン等でカットする。
この散髪は理容技術が無くとも理容師の散髪技術と同じように仕上げることが出来る効果がある。
【発明を実施するための最良の形態】
【０００９】
キャップ状に構成したものであり、あらましリング状をなしたヨーク部材とプレートが一体をなし、図７の使用説明図のように櫛を各プレートａの外側縁部に接触保持された状態でＡからＢと毛髪を櫛で掬い上げ突出した毛髪を鋏・電気バリカン等を用い、プロのように散髪することを実現した。
【実施例１】
【００１０】
以下、本発明を図面に示す実施形態に基づいて説明する。
図１は、本発明リング状キャップとプレートによる理髪器具の一実施例を示す図であり、支持部材１にリング状に形成したヨーク部材２の雄ねじ部２aにナット２bは螺嵌され、リング径を調節し固設する。そしてヨーク部材２c・２dの平行または傾斜部によりプレート５ａと毛髪の流れを平行させることにより櫛と髪は、おおむね交差状態となり散髪は容易である。それに支持部材１とヨーク部材２から成るリング状キャップを頭部に固定する部材３および横装された可撓性細帯状部材４ならびに細紐状部材６と弾性作用を持つ耳保護固定部材７により構成され、プレート５はプレート部分５aとプレート保持部材５bクリップ５cおよび、ばね５dをもって構成されている。
【００１１】
図２は、２連をなしたプレート８はプレート部分８aの基端部の一端にストッパー８e１と他端にストッパー兼ばね受部分８eは設けられる。そしてプレート８aは保持部材８bに装入し、ねじ８gで取り付けプレート８aは、ばね８fにより弾性作用が働く、そしてクリップ８cは、ばね８dによりヨーク部材２に着脱する。また、プレート８aの先端部に安全部材８hが施されている。
【００１２】
図３は、プレート９とヨーク部材２０との着脱は磁石による吸引作用を持つてなし、プレート部分９aは保持部材９bにより固設され、それに磁石体９cは取り付けられている。
そして、磁石体９cの吸着面に凸部材９c１は突設され、ヨーク部材２０の吸着体に凹部２０aと異なる角度を持つ２０ｂを備えて一体をなす一部分図である。
【００１３】
図４は、支持部材３１にヨーク部材３２の雄ねじ部（図示せず）にナット３２aは螺嵌され、そして、ヨーク部材３２に凹欠部３２bが複数施され、さらに支持部材３１とヨーク部材３２から成るリング状キャップと頭皮間に間隔を保ち、かつ支えとなる固定部材３３および横装された可撓性細帯状部材３４により構成され、上記ヨーク部材３２は髪裾に沿って適度の間隔を取りながら曲線をなし、複数の異なるプレート３５・３６はヨーク部材３２に取り付けられる。
また、プレート３５・３６は、おもに１連または２連を用いる事により櫛の扱いが容易となり、そしてプレート３５・３６は、例えば、３５aのように上部え起す動作と摺動が可能である。
それにプレート３６は、上記プレート３５の動作に加えて左右に振れの動きをなす。
【００１４】
図５は、上記プレート３６の分解斜視図であり、プレート３６aは保持部材３６bに固定し、そこに中空部３６b１を設け、それにヨーク部材３２に装着部材３６cは雌ねじ孔３６c１と中空部３６eを設け、そこにばね３６fおよびプッシュ・ピン３６f１が嵌入し構成され、そして先端部３６f１とヨーク部材３２bの凹欠部の接触角度により弾性作用と安定が働きプレート３５・３６は頭皮に対しソフトな圧接効果を得る。
また、ボルト３６dとスプリングワッシャー３６d１は保持部材３６bの中空部３６b１を挿通し、雌ねじ３６c１に螺嵌する。したがってプレート３６は前後左右の振れの動作とヨーク部材３２に沿ってスライド可能に取り付けられる。
【００１５】
図６Ａは、プレート３５のプレート部分３５aは、保持部材３５bに固設され、それに、中空部３５eが設けられ、ばね３５fとプッシュ・ピン３５f１が嵌入し構成されている。
そして、図６Ｂは、正面図でありプレート３５において、ばね３５ｆおよびプッシュ・ピン３５f１はヨーク部３２bの凹欠部分との圧接面を示したものである。
【００１６】
図７は、使用説明図であり、櫛Ａは各プレートａ部分の外側縁部に接触状態を保持し先端部より毛髪を掬い上げながら上部え移動し、その櫛Ｂより突出した毛髪をカットする。
【産業上の利用可能性】
【００１７】
本発明は、理容作業時において使用する理髪器具であり、特に、裾刈り、刈上げ等に関するもので、リング状キャップを介してプレートは着脱可能に一体をなし、そして各プレートａの外側縁部の形状により、色々な髪型を作り出す。
【図面の簡単な説明】
【００１８】
【図１】本発明の実施形態を示す斜視図である。
【図２】プレート部分が２連をなす斜視図である。
【図３】磁石体による櫛ガイドプレートとヨーク部材の着脱の斜視図である。
【図４】複数の異なる櫛ガイドプレートと図１と異なるヨーク部材により構成した斜視図である。
【図５】櫛ガイドプレート３６の分解斜視図で一部、部分拡大図。
【図６】櫛ガイドプレート３５の分解斜視図Ａと正面図Ｂである。
【図７】プレートと櫛による使用説明図である。
【符号の説明】
【００１９】
１支持部材
２ヨーク部材
３固定具
４可撓性細帯状固定部材
５櫛ガイドプレート
６固定用細紐
７耳、保護、固定部材
８二連櫛ガイドプレート
９磁石体櫛ガイドプレート
20吸着体ヨーク部材
31支持部材
32凹欠部付ヨーク部材
33固定具
34可撓性細帯状固定部材
35は35aの動作と摺動の櫛ガイドプレート
36前後左右の振れと摺動する櫛ガイドプレート
【図１】
2005349065.tif 000003
【図２】
2005349065.tif 000004
【図３】
2005349065.tif 000005
【図４】
2005349065.tif 000006
【図５】
2005349065.tif 000007
【図６】
2005349065.tif 000008
【図７】
2005349065.tif 000009